(57)【特許請求の範囲】
【請求項１】
バックル本体に対する一対のタング部材の挿入により、バックル本体内に備えられたイジェクタが押出バネの付勢力に抗して押動操作されると共に、タング部材の係合位置への到達によりタング部材に係脱自在に係合する係合部材がバックル本体内に備えられ、前記タング部材と前記係合部材との前記係合の解除によって前記押出バネにより前記イジェクタを介してタング部材を解離方向に付勢するバックル装置において、
前記一対のタング部材が実質的に同時に前記挿入された場合に、前記イジェクタが挿入許容姿勢で前記押動操作されて、各タング部材の前記係合位置までの挿入を許容すると共に、一方の前記タング部材のみが前記挿入された場合に、前記イジェクタの姿勢傾動により前記押動操作が規制されて、前記タング部材の前記係合位置までの挿入を抑止する挿入制御手段が前記バックル本体に設けられており、
前記挿入制御手段は、前記イジェクタを前記挿入許容姿勢で前記押動操作の方向に沿って往復移動自在に摺動案内するガイドレール部を有するフレーム部材と、前記挿入許容姿勢からの前記姿勢傾動で前記イジェクタが接離自在に当接して前記押動操作の方向への移動を規制するストッパ部とからなり、前記ストッパ部は前記ガイドレール部に張出形成されて設けられたことを特徴とするバックル装置。
【請求項２】
前記押動操作に際して、前記両タング部材と当接する前記イジェクタのタング当接部が、前記解離方向に向かって先鋭な形状に形成されたことを特徴とする請求項１記載のバックル装置。
【請求項３】
前記イジェクタに当接して前記押動操作する前記一対のタング部材の挿入側端面は、互いに内向き傾斜状に形成されたことを特徴とする請求項１または２記載のバックル装置。
【請求項４】
前記タング部材の挿入待機状態で、前記押出バネで付勢される前記イジェクタが接離自在に当接して前記挿入許容姿勢でイジェクタを保持する姿勢保持ガイドが、前記フレーム部材に設けられたことを特徴とする請求項１、２または３記載のバックル装置。
【発明の詳細な説明】
【０００１】
【発明の属する技術分野】
本発明は、一対のタング部材を実質的に同時に挿入して装着する方式のチャイルドシート等に使用されるバックル装置の改良に関するものである。
【０００２】
【従来の技術】
近年、自動車による交通事故等の際に、乗車している年少者を傷害から防護し、または傷害を軽減すべく、自動車のシート上に取り付けるチャイルドシートが使用されている。
【０００３】
この種のチャイルドシートに採用されているシートベルト装置としては、例えば、チャイルドシートの座部の前側中央に股ウエビングの一端部が固定され、この股ウエビングの他端部にバックル本体が取り付けられている。また、チャイルドシートの座部に座った年少者の左右の肩および左右の腰にまたがってそれぞれ装着されるウエビングには、タング部材がそれぞれ取り付けられている。そして、これら一対のタング部材をバックル本体に挿入することにより、互いに係脱自在に係合するように構成されている。
【０００４】
この種の係脱自在なバックル装置として、特開平８−７０９１２号公報に開示のものがあり、一対のタング部材と、バックル本体内に回動可能に配置されると共に各タング部材に係脱自在に係合する係合部材と、各タング部材を解離方向に付勢する押出バネで付勢されたイジェクタと、一方のタング部材だけがバックル本体内に挿入された場合に係合部材のタング部材に対する前記係合方向への回動を阻止する規制プレートとを備えた構造とされていた。
【０００５】
そして、一方のタング部材のみをバックル本体に挿入すると、規制プレートがそのタング部材により回動されて係合部材の係合方向への回動を阻止し、タング部材の係合によるロック状態が得られないように構成され、また、一対のタング部材を同時に挿入した場合には、規制プレートが回動せず、両タング部材に係合部材が係合して良好なロック状態が得られるように構成され、タング部材側とバックル本体側とのロック状態の確実性の向上を図った構造とされていた。
【０００６】
【発明が解決しようとする課題】
しかしながら、上記従来公報に開示のバックル装置によれば、回動可能に支持された規制プレートを別途備える方式であり、規制プレートや規制プレートの初期位置を定めるための複数のバネ等の部品点数が増加し、コスト高を招く欠点があった。
【０００７】
また、規制プレートを回動させるスペースも必要となり、装置全体の大型化や構造の複雑化を招き、組付性作業性にも劣るという問題があった。
【０００８】
そこで、本発明は上記問題点に鑑み、部品点数の増加を抑え、コンパクトで簡単な構造のバックル装置を提供することを目的とする。
【０００９】
【課題を解決する為の手段】
上記課題を達成するための技術的手段は、バックル本体に対する一対のタング部材の挿入により、バックル本体内に備えられたイジェクタが押出バネの付勢力に抗して押動操作されると共に、タング部材の係合位置への到達によりタング部材に係脱自在に係合する係合部材がバックル本体内に備えられ、前記タング部材と前記係合部材との前記係合の解除によって前記押出バネにより前記イジェクタを介してタング部材を解離方向に付勢するバックル装置において、前記一対のタング部材が実質的に同時に前記挿入された場合に、前記イジェクタが挿入許容姿勢で前記押動操作されて、各タング部材の前記係合位置までの挿入を許容すると共に、一方の前記タング部材のみが前記挿入された場合に、前記イジェクタの姿勢傾動により前記押動操作が規制されて、前記タング部材の前記係合位置までの挿入を抑止する挿入制御手段が前記バックル本体に設けられており、前記挿入制御手段は、前記イジェクタを前記挿入許容姿勢で前記押動操作の方向に沿って往復移動自在に摺動案内するガイドレール部を有するフレーム部材と、前記挿入許容姿勢からの前記姿勢傾動で前記イジェクタが接離自在に当接して前記押動操作の方向への移動を規制するストッパ部とからなり、前記ストッパ部は前記ガイドレール部に張出形成されて設けられた点にある。
【００１１】
さらに、前記押動操作に際して、前記両タング部材と当接する前記イジェクタのタング当接部が、前記解離方向に向かって先鋭な形状に形成された構造としてもよい。
【００１２】
また、前記イジェクタに当接して前記押動操作する前記一対のタング部材の挿入側端面は、互いに内向き傾斜状に形成された構造としてもよい。
【００１３】
さらに、前記タング部材の挿入待機状態で、前記押出バネで付勢される前記イジェクタが接離自在に当接して前記挿入許容姿勢でイジェクタを保持する姿勢保持ガイドが、前記フレーム部材に設けられた構造としてもよい。
【００１４】
【発明の実施の形態】
以下、本発明のバックル装置にかかる実施形態を図面に基づいて説明すると、図１ないし図４に示される如く、チャイルドシートの座部に固定された股ウエビング１の端部に取り付けられたバックル本体２と、チャイルドシートの座部に座った年少者の左右の肩および左右の腰にまたがってそれぞれ装着されるウエビング３、４に取り付けられた一対のタング部材５、６とから構成され、これらタング部材５、６をバックル本体２内に挿入することにより、互いに係脱自在に係合したロック状態が得られるように構成されている。
【００１５】
各タング部材５、６は、適宜形状に形成された金属プレート７、８を樹脂でモールド成形されてなり、一方にウエビング３、４がそれぞれ挿通状として取付固定されるウエビング挿通孔５ａ、６ａを有するウエビング取付部５ｂ、６ｂを備え、他方にバックル本体２内に挿入される略平板状のタング部５ｃ、６ｃがそれぞれ備えられている。
【００１６】
各タング部５ｃ、６ｃは、互いに併設状態に揃えて同時にバックル本体２に挿入可能となるべく、一方のタング部５ｃの一側面および上面側に位置決め突起５ｄ、５ｅがそれぞれ形成されている。そして、対向するタング部６ｃの一側面および上面の張出部６ｄ下面側に、それぞれ前記位置決め突起５ｄ、５ｅが嵌脱自在に嵌合される嵌合凹部６ｅ、６ｆがそれぞれ形成されている。
【００１７】
また、各タング部５ｃ、６ｃには、図５ないし図９、図１９ないし図２１に示される係合部材１０が係脱自在に係合される矩形状の係合孔５ｇ、６ｇがそれぞれ形成されている。この際、各係合孔５ｇ、６ｇ周縁部および各係合孔５ｇ、６ｇからタング部材５、６の挿入方向先端における金属プレート７、８は露出状に構成されている。
【００１８】
前記バックル本体２は、上下二分割状とされた上カバー体１１、下カバー体１２を備え、両カバー体１１、１２間にわたって、挿入されるタング部５ｃ、６ｃに係脱自在に係合される前記係合部材１０と、タング部５ｃ、６ｃを押し出すイジェクタ１３と、イジェクタ１３を押出方向、即ち解離方向Ｐに付勢する押出バネ１４と、これら係合部材１０、イジェクタ１３、押出バネ１４等を支持するフレーム部材１５と、タング部５ｃ、６ｃと係合部材１０との係合を解除する解除ボタン１６と、タング部５ｃ、６ｃと係合部材１０との係合状態を表示する表示部材１７とが、収容状に装着されている。
【００１９】
前記下カバー体１２は、樹脂等により成形されてなり、図１０にも示される如く、下カバー体１２の一端部に、股ウエビング１が挿通状として取付固定されるウエビング挿通孔１２ａが形成されると共に、上カバー体１１やフレーム部材１５を互いに固定するためのネジ挿通孔１２ｂが形成されている。また、下カバー体１２の他端部側は、タング部５ｃ、６ｃが挿入されるタング挿入部１９とされ、そのタング挿入部１９両側に位置した下カバー体１２の両側縁部には、係合壁１２ｃが立設されると共に、その各係合壁１２ｃの上端縁部には外方に突出する係止部１２ｄがそれぞれ突設されている。
【００２０】
さらに、下カバー体１２の底面には、中央部からウエビング挿通孔１２ａ方向に適宜幅を有した細長状のイジェクタガイド溝１２ｅが形成され、また、タング挿入部１９側にはフレーム部材１５に突出形成された係止片部１５ａが係止される係止凹部１２ｆが形成されると共に、ウエビング挿通孔１２ａの両側方にはフレーム部材１５の両側縁部上面に係脱自在に係合される係止部１２ｇがそれぞれ形成されている。
【００２１】
前記フレーム部材１５は、適宜形状に折曲形成された金属板からなり、図１１および図１２にも示される如く、略長方形状の基板部１５ｂと、基板部１５ｂの長手方向一端部に突出形成された前記係止片部１５ａと、基板部１５ｂの両側縁部よりそれぞれ対向状に立設された支持壁部１５ｃとを備えた構造とされている。そして、この支持壁部１５ｃ間が、タング挿入部１９より挿入される両タング部５ｃ、６ｃのタング挿入路１９ａとして構成されている。
【００２２】
また、基板部１５ｂには、下カバー体１２のウエビング挿通孔１２ａやネジ挿通孔１２ｂに連通状とされるウエビング挿通孔１５ｄやネジ挿通孔１５ｅが形成されると共に、中央部には前記長手方向に沿ってイジェクタ１３を案内するガイド孔１５ｆが形成されている。
【００２３】
前記上カバー体１１は、下カバー体１２の上面側を覆うべく樹脂等により形成されてなり、図１３にも示される如く、下カバー体１２の各係止部１２ｄが係脱自在に係止される係止凹部１１ａがそれぞれ形成されると共に、下カバー体１２のウエビング挿通孔１２ａやネジ挿通孔１２ｂに連通状とされるウエビング挿通孔１１ｂやネジ挿通孔１１ｃが形成されている。
【００２４】
また、上カバー体１１のタング挿入部１９側には、解除ボタン１６が露出状とされる対応した形状の操作開口部１１ｄが形成されると共に、操作開口部１１ｄとウエビング挿通孔１１ｂとの間に位置して表示部材１７が視認できる表示窓１１ｅが形成されている。
【００２５】
前記イジェクタ１３は、図１４ないし図１８にも示される如く、樹脂等により平面視略三角形状に形成されており、フレーム部材１５の基板部１５ｂ下側に配置されるスライド基部１３ａと、スライド基部１３ａの上面側でガイド孔１５ｆ内に位置すると共に基板部１５ｂの板厚と略同じ高さを有するスライドガイド部１３ｂと、スライドガイド部１３ｂの上面側で、かつタング挿入部１９と反対の端部よりスライド基部１３ａ上方域で基板部１５ｂ上側に張出状に形成されたスライド翼部１３ｃと、イジェクタ１３の中央部でスライドガイド部１３ｂ上面より上方に突出状に形成されたタング当接部１３ｄとを備える。
【００２６】
ここに、上下のスライド翼部１３ｃとスライド基部１３ａ間に、図５、図７、図９、図１１に示されるフレーム部材１５におけるガイド孔１５ｆの両側縁部によって構成される両ガイドレール部１５ｇがそれぞれ摺動自在に嵌合されるレール溝部１３ｇが構成される。
【００２７】
また、スライド基部１３ａのスライドガイド部１３ｂよりタング挿入部１９方向に突出する端部は幅狭の舌片部１３ｅとされ、スライド基部１３ａの中央部下面側には、前記イジェクタガイド溝１２ｅ内に嵌合されると共にその長さ方向に沿って摺動自在なボス部１３ｆが備えられている。この際、ボス部１３ｆは略円柱状に形成されており、そのタング挿入部１９側端面は、図１０に示されるイジェクタガイド溝１２ｅにおけるタング挿入部１９側の平坦面に接離自在に当接すべく、図１６に示されるように平坦面に形成されている。
【００２８】
さらに、タング当接部１３ｄは、図５、図７、図９、図１４に示される如く、解離方向Ｐに向かって先鋭な三角形状に形成されており、その先鋭な先端部がタング挿入部１９から挿入される両タング部５ｃ、６ｃの中心に位置するように構成されている。この際、両タング部５ｃ、６ｃの挿入側端面５ｈ、６ｈは、互いに内向き傾斜状に形成されており、三角形状とされたタング当接部１３ｄの両側面にそれぞれ前記挿入側の端面５ｈ、６ｈが接離自在に当接するように構成されている。
【００２９】
また、図１４ないし図１６、図１８に示される如く、イジェクタ１３における舌片部１３ｅと反対側の端面には、円孔状のバネ受け孔１３ｈが形成されており、図５ないし図９に示される如く、フレーム部材１５に備えられたバネ支持突部１５ｈとの間に渡ってコイルバネからなる押出バネ１４が圧縮状に装着され、この押出バネ１４の付勢力によりイジェクタ１３は、タング挿入部１９方向、即ち解離方向Ｐに弾発付勢されている。
【００３０】
この際、図５、図１１に示される如く、ガイド孔１５ｆのタング挿入部１９側端縁部は、幅方向中心部でタング挿入部１９方向に膨出する円弧状に形成されており、押出バネ１４で付勢されているイジェクタ１３を各タング部５ｃ、６ｃが未挿入の挿入待機状態で、スライドガイド部１３ｂの先端部を幅方向中心に案内する姿勢保持ガイド１５ｊとして構成されている。なお、姿勢保持ガイド１５ｊに摺動自在に当接するスライドガイド部１３ｂの先端部は、幅方向中心部で突出する適宜多角形状もしくは姿勢保持ガイド１５ｊに対応する円弧状に構成されている。また、この場合において、イジェクタガイド溝１２ｅのタング挿入部１９側の平坦面とイジェクタ１３のボス部１３ｆにおける平坦面とも当接状とされている。
【００３１】
そして、この挿入待機状態で、両タング部５ｃ、６ｃがタング挿入部１９から実質的に同時に挿入されると、イジェクタ１３はその姿勢の状態で、両タング部５ｃ、６ｃの挿入方向Ｑに沿って押動操作されるように構成されている。ここに、挿入待機状態では、イジェクタ１３は安定して挿入許容姿勢で待機されるように構成されている。
【００３２】
また、タング当接部１３ｄの上面側には、各タング部５ｃ、６ｃの挿入方向Ｑに沿って、上向き傾斜状の係合部材保持ガイド１３ｊおよび下向き傾斜状の表示部材保持ガイド１３ｋがそれぞれ備えられている。
【００３３】
さらに、イジェクタ１３の挿入許容姿勢からボス部１３ｆの軸周りの姿勢傾動により、スライドガイド部１３ｂが接離自在に当接して前記押動操作の方向、即ち挿入方向Ｑへの移動を規制するストッパ部１５ｋが両ガイドレール部１５ｇにそれぞれ張出形成されている。この際、ストッパ部１５ｋは、略台形状に張り出されると共に、各タング部５ｃ、６ｃの挿入方向Ｑに離隔して一対宛備えられている。
【００３４】
なお、スライドガイド部１３ｂにおけるタング挿入部１９側の両側部は、イジェクタ１３の前記姿勢傾動を許容すべく、幅狭のくびれ状に形成されている。
【００３５】
前記係合部材１０は、図１９ないし図２１にも示される如く、プレス加工等で金属板を適宜形状に折曲形成してなり、フレーム部材１５の両支持壁部１５ｃにそれぞれ形成された保持孔１５ｍ間に渡って揺動自在に支持される矩形平板状の支持片部１０ａと、支持片部１０ａのタング挿入部１９側端縁より上向き傾斜状に延設された解除操作片部１０ｂと、タング挿入路１９ａに沿って挿入される各タング部５ｃ、６ｃの係合孔５ｇ、６ｇ位置に対応して支持片部１０ａにそれぞれ下向き突出状に形成されると共に各係合孔５ｇ、６ｇに係脱自在に係合される係合突部１０ｃとから構成されている。
【００３６】
前記解除ボタン１６は、図２２ないし図２５に示される如く、樹脂等により成形されてなり、平面視略円形の押し操作部１６ａと、押し操作部１６ａのタング挿入部１９側で両側方張出状に備えられた支軸部１６ｂと、押し操作部１６ａの外側面両側部に沿ってそれぞれ張出形成された戻り規制翼１６ｃと、押し操作部１６ａ下面側における各タング部５ｃ、６ｃの挿入方向中間部両側にそれぞれ下向き突出状に形成された操作突部１６ｄとから構成されている。なお、押し操作部１６ａの上面には押し操作時の滑り止めとなる滑り止め突部１６ｅが適宜形成されている。
【００３７】
また、図２５に示される如く、押し操作部１６ａの下面側に位置する支軸部１６ｂはその周面が一部切り欠き状に形成され、この部分の支軸部１６ｂに図２６および図２７に示される如く、適宜湾曲形成された板バネ２１のはめ込み部２１ａが、図６や図８に示される如く、はめ込まれ、切り起こし形成された係止片２１ｂが支軸部１６ｂに抜止係止されている。
【００３８】
そして、図６や図８に示される如く、解除ボタン１６の両側に突出する支軸部１６ｂが、フレーム部材１５における両支持壁部１５ｃのタング挿入部１９側端部にそれぞれ備えられた支持凹部１５ｎと、上カバー体１１のタング挿入部１９側下面にそれぞれ形成された支持凹部１１ｆとで相対回動自在に支持されている。この際、板バネ２１の湾曲端部の押し下げ部２１ｃは、係合部材１０における支持片部１０ａの解除操作片部１０ｂと反対側の端部上面に弾発状に当接されており、その支持片部１０ａ端部を下方に押し下げるべく、弾発付勢する構造とされている。
【００３９】
前記表示部材１７は、図２８ないし図３０に示される如く、樹脂等により形成されてなり、円弧状の表示部１７ａと、表示部１７ａを支持すべく両側方に張出形成された支軸部１７ｂと、一側面に突出形成されたバネ受け部１７ｃとを備えている。また、表示部１７ａは、周方向に沿って、赤色に着色された非ロック状態表示領域Ａと緑色に着色されたロック状態表示領域Ｂに、二分割されている。
【００４０】
そして、図２８仮想線で示される如く、ねじりバネ２３の中央部を一方の支軸部１７ｂに套嵌状として、一端部をバネ受け部１７ｃに套嵌状に係止し、他端部をフレーム部材１５における基板部１５ｂ上に圧接状に当接すべく、両支持壁部１５ｃにそれぞれ形成された支持凹部１５ｐに両支軸部１７ｂが相対回動自在に支持され、各支持凹部１５ｐからの支軸部１７ｂの離脱は、上カバー体１１下面に備えられた保持凹部１１ｇにより規制されている。
【００４１】
この表示部材１７は、両タング部５ｃ、６ｃの挿入待機状態においては、図６に示される如く、ねじりバネ２３の付勢力により表示部１７ａのタング挿入部１９方向側に位置する端縁部が表示部材保持ガイド１３ｋに当接状とされて、表示窓１１ｅに対応して非ロック状態表示領域Ａが位置するように構成されている。また、図８に示される如く、両タング部５ｃ、６ｃが挿入されたロック状態にあっては、表示部材１７に備えられたスライド部１７ｄと表示部材保持ガイド１３ｋとの相対摺動により、表示部材１７がねじりバネ２３の付勢力に抗して支軸部１７ｂ回りに回動操作され、表示窓１１ｅに対応してロック状態表示領域Ｂが位置するように構成されている。
【００４２】
なお、各タング部５ｃ、６ｃがタング挿入路１９ａに沿って挿入された際、その挿入端部側の浮き上がりを規制すべく、図１１および図１２に示される如く、フレーム部材１５の両支持壁部１５ｃには、互いに内向きに突出するガイドボス部１５ｑがそれぞれ突設されている。
【００４３】
本実施形態は以上のように構成されており、図５および図６に示される如く、各タング部５ｃ、６ｃの非挿入状態においては、イジェクタ１３が押出バネ１４の付勢力によりタング挿入部１９方向に付勢されてスライドガイド部１３ｂのタング挿入部１９方向に位置する端部が、フレーム部材１５の姿勢保持ガイド１５ｊに当接すると共に、ボス部１３ｆの平坦面がイジェクタガイド溝１２ｅの平坦面に当接状とされて、両タング部５ｃ、６ｃの挿入方向に沿って押動自在な挿入許容姿勢で保持される。
【００４４】
また、係合部材１０は係合部材保持ガイド１３ｊに保持されて、係合突部１０ｃはタング挿入路１９ａより上方に退避され、表示部材１７はスライド部１７ｄが表示部材保持ガイド１３ｋに当接して、表示窓１１ｅに非ロック状態表示領域Ａが位置されている。この際、解除ボタン１６は板バネ２１の付勢力により支軸部１６ｂ回りに上方付勢され、両側の戻り規制翼１６ｃが操作開口部１１ｄ周縁部に当接して所定姿勢で保持されている。
【００４５】
この状態より、両タング部材５、６の各タング部５ｃ、６ｃが同時にタング挿入部１９からタング挿入路１９ａに沿って順次挿入されてくると、両タング部５ｃ、６ｃの端面５ｈ、６ｈがタング当接部１３ｄの両側面にそれぞれ当接し、さらに、両タング部５ｃ、６ｃが順次挿入されるとイジェクタ１３は押出バネ１４の付勢力に抗して押動操作される。この際、タング当接部１３ｄが解離方向Ｐに対して先鋭な三角形状に構成され、両タング部５ｃ、６ｃの端面５ｈ、６ｈが互いに内向き傾斜状に形成されているため、イジェクタ１３はその挿入許容姿勢を維持して両側のガイドレール部１５ｇによる案内下、挿入方向Ｑに沿って押動操作される。
【００４６】
この押動操作によるイジェクタ１３の挿入方向Ｑの移動に伴って、係合部材１０の係合突部１０ｃ側が板バネ２１による付勢力の下、係合部材保持ガイド１３ｊに沿って下降操作される。また、表示部材１７においては、表示部材保持ガイド１３ｋに沿ってスライド部１７ｄが摺動され、ねじりバネ２３の付勢力に抗して表示部材１７が支軸部１７ｂ回りに回動操作される。
【００４７】
その後、両タング部５ｃ、６ｃの挿入によってタング部５ｃ、６ｃ上に各係合突部１０ｃが当接すると、係合部材保持ガイド１３ｊから係合部材１０が離れ、さらに、両タング部５ｃ、６ｃが挿入されて各係合孔５ｇ、６ｇが所定位置まで到達すると、図７および図８に示される如く、板バネ２１による付勢力の下、両係合突部１０ｃが下降操作されて各係合孔５ｇ、６ｇ内に侵入し、係合したロック状態が得られる。
【００４８】
この際、表示部材１７においては、表示部材保持ガイド１３ｋとスライド部１７ｄとの相対摺動により支軸部１７ｂ回りにさらに回動操作され、表示窓１１ｅの位置に対応してロック状態表示領域Ｂが位置され、視認的にもロック状態が確認できる。
【００４９】
次に、このロック状態を解除する場合には、解除ボタン１６を板バネ２１の付勢力に抗して押し下げ操作すれば、操作突部１６ｄが解除操作片部１０ｂに当接し、さらに押し下げ操作すれば、係合突部１０ｃ側が上昇操作され、各係合孔５ｇ、６ｇと各係合突部１０ｃとの係合状態が解除される。
【００５０】
そして、この係合状体が解除されると、押出バネ１４に蓄勢された付勢力によりイジェクタ１３が解離方向Ｐに押し出され、このイジェクタ１３の解離方向Ｐ移動により各タング部５ｃ、６ｃが挿入方向Ｑと反対方向に押し出され、解離操作される。
【００５１】
また、この際、支持片部１０ａの端部は係合部材保持ガイド１３ｊ上に載せられ、図６に示される如く、係合突部１０ｃはタング挿入路１９ａより上方に退避する。一方、表示部材１７にあっては、ねじりバネ２３に蓄勢された付勢力により、表示部材保持ガイド１３ｋとスライド部１７ｄとが相対摺動されて、図６に示される如く、表示部１７ａの非ロック状態表示領域Ａが表示窓１１ｅの位置に戻される。ここに、解除ボタン１６に対する押し下げ力を解除すると、図６に示される、タング部材５、６の挿入待機状態としての初期状態に復帰する。
【００５２】
次に、図９に示される如く、一方のタング部６ｃのみをタング挿入部１９から挿入した場合においては、タング部６ｃの挿入端である端面６ｈが、タング当接部１３ｄの一側面側に当接し、この状態でさらにタング部６ｃを押し込み操作すれば、イジェクタ１３は押出バネ１４よって付勢されているため、タング部５ｃが挿入されていない方向にイジェクタ１３はボス部１３ｆの軸心回りに回動操作される。
【００５３】
このイジェクタ１３の回動による姿勢傾動により、イジェクタ１３は通常の押動操作される軌道から外れ、この状態よりさらにタング部６ｃが押し込み操作されても、イジェクタ１３におけるタング挿入部１９と反対側のスライドガイド部１３ｂ端面がストッパ部１５ｋに当接して押動操作が規制される。この際、さらにイジェクタ１３が姿勢傾動してくびれ状とされているタング挿入部１９に近い側のスライドガイド部１３ｂもストッパ部１５ｋに当接し、この点からも正規方向への押動操作が規制されると共にそれ以降の姿勢傾動も規制され、タング部６ｃのそれ以上の挿入ができなくなる。
【００５４】
従って、タング部６ｃの係合孔６ｇが係合突部１０ｃに対応する係合位置まで挿入することができず、係合孔６ｇと係合突部１０ｃとの不用意な係合が防止でき、一方だけによる誤装着が有効に防止できる。そして、タング部材５、６の装着を行う者は、係合時のタング部５ｃ、６ｃの挿入ストロークと、非係合時の挿入ストロークとが明らかに異なっていることが感覚的に分別でき、タング部材５、６とバックル本体２とが非係合状態であることを早急に認識できる。
【００５５】
なお、上記と反対側のタング部５ｃのみを挿入した場合には、イジェクタ１３は前述と逆方向に姿勢傾動して同様に動作する。
【００５６】
そして、タング部５ｃ、６ｃの挿入方向への移動を規制する挿入制御手段は、単一のイジェクタ１３とそれを摺動案内するフレーム部材１５だけで構成され、従来のように部品点数を多くする必要がなく、簡単な構造で組付作業性に優れ、コスト低減が図れる。
【００５７】
また、イジェクタ１３の通常の挿入許容姿勢から姿勢傾動されることにより、イジェクタ１３の挿入方向Ｑの移動を有効に抑制でき、バックル本体２を大きく構成する必要がなく、バックル装置全体としてのコンパクト化が図れる。
【００５８】
さらに、イジェクタ１３のタング当接部１３ｄが解離方向Ｐに向かって先鋭な形状とされているため、一方のタング部５ｃ、６ｃのみが挿入された場合には、挿入許容姿勢より容易に姿勢傾動され、一方のタング部５ｃ、６ｃのみを係合部材１０との係合位置まで不用意に挿入させない抑止性能を有効に向上させることができる。
【００５９】
また、両タング部材５、６におけるタング部５ｃ、６ｃの端面５ｈ、６ｈを互いに内向き傾斜状に形成しているため、両タング部５ｃ、６ｃを同時に挿入した際には、両タング部５ｃ、６ｃの中央位置にタング当接部１３ｄを安定して保持でき、イジェクタ１３を挿入許容姿勢でその挿入方向Ｑに沿って安定して押動操作することができ、両タング部５ｃ、６ｃにおける係合孔５ｇ、６ｇと係合部材１０の各係合突部１０ｃとをより確実に係合させることができる。
【００６０】
さらに、タング部材５、６の挿入待機状態においては、姿勢保持ガイド１５ｊに対するスライドガイド部１３ｂの当接や、ボス部１３ｆの平坦面とイジェクタガイド溝１２ｅの平坦面との当接により、イジェクタ１３を挿入許容姿勢で安定して保持でき、タング部材５、６が同時に挿入された場合や一方のみが挿入された場合において、挿入時における前述のような制御動作をより安定して発揮することができる。
【００６１】
なお、上記実施形態において、下カバー体１２に取り付けられたフレーム部材１５にイジェクタ１３が摺動自在に保持する構造を示しているが、下カバー体１２にフレーム部材１５と同様の構造を一体に備えてイジェクタ１３を摺動自在に保持する構造としてもよい。
【００６２】
また、各タング部５ｃ、６ｃのタング挿入路１９ａに対する挿入に際しても、実質的に同時に挿入すればよい。
【００６３】
【発明の効果】
以上のように、本発明のバックル装置によれば、一対のタング部材が実質的に同時に挿入された場合に、イジェクタが挿入許容姿勢で押動操作されて、各タング部材の係合位置までの挿入を許容すると共に、一方のタング部材のみが挿入された場合に、イジェクタの姿勢傾動により押動操作が規制されて、タング部材の係合位置までの挿入を抑止する挿入制御手段がバックル本体に設けられたものであり、イジェクタの姿勢傾動によりタング部材の挿入を規制するするため、部品点数の増加を抑え、コンパクトな簡単な構造のバックル装置を提供することができる。
【００６４】
しかも、挿入制御手段は、イジェクタを挿入許容姿勢で押動操作の方向に沿って往復移動自在に摺動案内するガイドレール部を有するフレーム部材と、挿入許容姿勢からの姿勢傾動でイジェクタが接離自在に当接して押動操作の方向への移動を規制するストッパ部とからなり、ストッパ部はガイドレール部に張出形成されて設けられた構造であり、部品点数を増加させることなく、より有効にタング部材の挿入制御が行える。
【００６５】
さらに、押動操作に際して、両タング部材と当接するイジェクタのタング当接部が、解離方向に向かって先鋭な形状に形成された構造とすれば、一方のタング部材のみが挿入された場合には、イジェクタは容易に姿勢傾動し、タング部材を係合部材との係合位置まで不用意に挿入させない抑止性能を向上させることができる。
【００６６】
また、イジェクタに当接して押動操作する一対のタング部材の挿入側端面は、互いに内向き傾斜状に形成された構造とすれば、両タング部材を実質的に同時に挿入した際には、両タング部材の中央位置にイジェクタを安定して保持でき、イジェクタを挿入許容姿勢でその挿入方向に沿って安定して押動操作することができ、係合部材とより確実に係合させることができる。
【００６７】
さらに、タング部材の挿入待機状態で、押出バネで付勢されるイジェクタが接離自在に当接して挿入許容姿勢でイジェクタを保持する姿勢保持ガイドが、フレーム部材に設けられた構造とすれば、イジェクタを挿入許容姿勢で安定して待機させることができ、タング部材挿入時の制御動作が安定して発揮することができる。
【図面の簡単な説明】
【図１】本発明の実施形態における操作説明図である。
【図２】図１のII−II線矢視図である。
【図３】図１のIII−III線矢視図である。
【図４】タング部材の挿入操作説明図である。
【図５】上カバー体を取り外した状態のタング部挿入動作説明図である。
【図６】図５のVI−VI線矢視からの一部断面図である。
【図７】上カバー体を取り外した状態のタング部挿入動作説明図である。
【図８】図７のVIII−VIII線矢視からの一部断面図である。
【図９】上カバー体を取り外した状態の一方のみによるタング部挿入動作説明図である。
【図１０】下カバー体の平面図である。
【図１１】フレーム部材の平面図である。
【図１２】図１１のXII−XII線断面矢視図である。
【図１３】上カバー体の底面図である。
【図１４】イジェクタの平面図である。
【図１５】図１４のXV−XV線矢視図である。
【図１６】イジェクタの底面図である。
【図１７】図１４のXVII−XVII線矢視図である。
【図１８】図１４のXVIII−XVIII線矢視図である。
【図１９】係合部材の平面図である。
【図２０】図１９のXX−XX線矢視図である。
【図２１】図１９のXXI−XXI線矢視図である。
【図２２】解除ボタンの平面図である。
【図２３】図２２のXXIII−XXIII線矢視図である。
【図２４】図２２のXXIV−XXIV線矢視図である。
【図２５】図２２のXXV−XXV線断面矢視図である。
【図２６】板バネの断面図である。
【図２７】板バネの平面図である。
【図２８】表示部材の側面図である。
【図２９】図２８のXXIX−XXIX線矢視図である。
【図３０】図２９の背面図である。
【符号の説明】
２  バックル本体
５  タング部材
５ｃ  タング部
５ｇ  係合孔
５ｈ  端面
６  タング部材
６ｃ  タング部
６ｇ  係合孔
６ｈ  端面
１０  係合部材
１０ｃ  係合突部
１１  上カバー体
１２  下カバー体
１３  イジェクタ
１３ｄ  タング当接部
１４  押出バネ
１５  フレーム部材
１５ｇ  ガイドレール部
１５ｋ  ストッパ部
１６  解除ボタン
１７  表示部材
１９  タング挿入部
１９ａ  タング挿入路
２１  板バネ
２３  ねじりバネ
【図１】
0003813468.tif 000002
【図２】
0003813468.tif 000003
【図３】
0003813468.tif 000004
【図４】
0003813468.tif 000005
【図５】
0003813468.tif 000006
【図６】
0003813468.tif 000007
【図７】
0003813468.tif 000008
【図８】
0003813468.tif 000009
【図９】
0003813468.tif 000010
【図１０】
0003813468.tif 000011
【図１１】
0003813468.tif 000012
【図１２】
0003813468.tif 000013
【図１３】
0003813468.tif 000014
【図１４】
0003813468.tif 000015
【図１５】
0003813468.tif 000016
【図１６】
0003813468.tif 000017
【図１７】
0003813468.tif 000018
【図１８】
0003813468.tif 000019
【図１９】
0003813468.tif 000020
【図２０】
0003813468.tif 000021
【図２１】
0003813468.tif 000022
【図２２】
0003813468.tif 000023
【図２３】
0003813468.tif 000024
【図２４】
0003813468.tif 000025
【図２５】
0003813468.tif 000026
【図２６】
0003813468.tif 000027
【図２７】
0003813468.tif 000028
【図２８】
0003813468.tif 000029
【図２９】
0003813468.tif 000030
【図３０】
0003813468.tif 000031